(57)【要約】  バネ式アクチュエータ(７４)が確動ロックの締まり嵌め(９８)を解除可能にするために急患用簡易ベッドの上部フレーム(２２)を上昇させる必要のある急患用簡易ベッドの確動ロック(７０)及びその方法が提供される。急患用簡易ベッドは、上部フレームが上昇されないと、確動ロック(７０)の引張りに利用されるバネ力が、締まり嵌めに打ち勝つには不十分である。締まり嵌めを解除すると、簡易ベッドが高さ調節可能になる。選択的に簡易ベッドが高さ調節位置に確実にロックされていないきに点灯される光表示器(８１)が設けられ得る。【選択図】図２
2009545400.tif 000002
【特許請求の範囲】
【請求項１】
高さ調節可能な急患用簡易ベッドであって、
複数の穴を有する少なくとも１つの溝形支持部材を備えた上部フレームと、
前記上部フレームの高さを調節するように構成された支持機構と、
前記支持機構に旋回可能に接続される横フレーム部材と、
前記少なくとも１つの溝形支持部材の周りを移動するように配置されると共に、前記横フレーム部材に接続される少なくとも１つのラッチトロリーと、
締まり嵌めにより前記複数の穴に解放可能に保持されるように配置された少なくとも１つのロックピンを有する確動ロックと、を含み、
前記上部フレームの上昇により前記締まり嵌めが解除され、それにより前記少なくとも１つのロックピンが係合する前記複数の穴の１つから解放可能とされる、高さ調節可能な急患用簡易ベッド。
【請求項２】
前記アクチュエータが上部フレームを上昇させ前記締まり嵌めを解除することにより、前記少なくとも１つのロックピンが前記複数の穴の係合した１つから解放可能である、請求項１に記載の高さ調節可能な急患用簡易ベッド。
【請求項３】
前記確動ロックが前記横フレーム部材に枢支された旋回アームを更に含み、前記上部フレームの上昇により前記締まり嵌めを解除すると、アクチュエータの作動により前記少なくとも１つのロックピンを移動させるように前記旋回アームが構成される、請求項１に記載の高さ調節可能な急患用簡易ベッド。
【請求項４】
前記確動ロックが、前記横フレーム部材に枢支されると共に、前記締まり嵌めに打ち勝つに不十分なバネ定数を有するバネを介してアクチュエータに接続される旋回アームを更に含み、前記上部フレームの上昇により前記締まり嵌めを解除すると、前記アクチュエータの作動により前記少なくとも１つのロックピンを移動させるように前記旋回アームが構成される、請求項１に記載の高さ調節可能な急患用簡易ベッド。
【請求項５】
伸縮可能な取手棒フレーム部材を更に含み、前記上部フレームの上昇により前記締まり嵌めを解除すると、前記少なくとも１つのロックピンが、前記伸縮可能な取手棒フレーム部材に取り付けられたアクチュエータにより、係合した前記複数の穴の１つから解放可能になる、請求項１に記載の高さ調節可能な急患用簡易ベッド。
【請求項６】
Ｕ字形に湾曲した伸縮可能な取手棒フレーム部材を更に含み、前記上部フレームの上昇により前記締まり嵌めを解除すると、前記少なくとも１つのロックピンが、前記伸縮可能な取手棒フレーム部材に取り付けられたアクチュエータにより、係合した前記複数の穴の１つから解放可能になる、請求項１に記載の高さ調節可能な急患用簡易ベッド。
【請求項７】
伸縮可能な取手棒フレーム部材を更に含み、前記上部フレームの上昇により前記締まり嵌めを解除すると、前記少なくとも１つのロックピンが、前記伸縮可能な取手棒フレーム部材に取り付けられたアクチュエータにより、係合した前記複数の穴の１つから解放可能になる、請求項１に記載の高さ調節可能な急患用簡易ベッド。
【請求項８】
伸縮可能な取手棒フレーム部材を更に含み、前記上部フレームの上昇により前記締まり嵌めを解除すると、前記少なくとも１つのロックピンが、前記伸縮可能な取手棒フレーム部材に取り付けられたアクチュエータにより、係合した前記複数の穴の１つから解放可能になり、また、前記簡易ベッドは一対のアクチュエータを備えた取手棒のロック装置を更に含み、該ロック装置は各々がバネ付勢された一対のピン止めロッドのそれぞれの一端に接続し、該ロッドは、通常は、前記上部フレームを通って少なくとも一部が前記取手棒フレーム部材に設けられたそれぞれの穴内に収容される、請求項１に記載の高さ調節可能な急患用簡易ベッド。
【請求項９】
前記少なくとも１つのラッチトロリーが上部及び下部ローラを含む、請求項１に記載の高さ調節可能な急患用簡易ベッド。
【請求項１０】
前記少なくとも１つのラッチトロリーが上部ローラを含み、荷重をかけた位置において、前記上部ローラが前記少なくとも１つの溝形支持部材の上部軌道部に係合するように配置された、請求項１に記載の高さ調節可能な急患用簡易ベッド。
【請求項１１】
前記少なくとも１つのラッチトロリーが下部ローラを含み、荷重をかけていない位置において、前記下部ローラが前記少なくとも１つの溝形支持部材の下部軌道部に係合するように配置された、請求項１に記載の高さ調節可能な急患用簡易ベッド。
【請求項１２】
前記少なくとも１つのラッチトロリーが上部及び下部ローラを含み、荷重をかけた位置において、前記上部ローラが前記少なくとも１つの溝形支持部材の上部軌道部に係合するように配置され、また、荷重をかけていない位置において、前記下部ローラが前記少なくとも１つの溝形支持部材の下部軌道部に係合するように配置された、請求項１に記載の高さ調節可能な急患用簡易ベッド。
【請求項１３】
前記少なくとも１つのロックピンが、バネで付勢されると共に、横フレーム部材内に摺動可能に収容される、請求項１に記載の高さ調節可能な急患用簡易ベッド。
【請求項１４】
前記確動ロックのバネに接続される引張りケーブルを介して、該確動ロックに作動可能に接続される手動のアクチュエータを更に含み、前記確動ロックが前記横フレーム部材に枢支されて前記バネに接続される旋回アームを更に含み、少なくとも１つの引張り部材が、該旋回アーム及び前記少なくとも１つのロックピンに旋回可能に接続される、請求項１に記載の高さ調節可能な急患用簡易ベッド。
【請求項１５】
前記少なくとも１つの溝形支持部材がＣ字形にされ、前記少なくとも１つのラッチトロリーに転動軌道を供与する、請求項１に記載の高さ調節可能な急患用簡易ベッド。
【請求項１６】
請求項１に記載の緊急用簡易ベッドの高さを調節する方法であって、
前記締まり嵌めの前記少なくとも１つのロックピンを解除するように前記上部フレームを上昇させる工程、
前記複数の穴の係合した１つから前記少なくとも１つのロックピンを解放するように前記簡易ベッドに設けられたアクチュエータを作動させる工程、及び
前記簡易ベッドの高さを調節するため前記横フレーム部材を前記少なくとも１つの溝形支持部材の周りに再位置決めする工程、を含む方法。
【請求項１７】
前記上部フレームを上昇させると、前記ラッチトロリーの下部ローラが前記溝形支持部材の下部軌道部に係合する、請求項１６に記載の方法。
【請求項１８】
請求項１６に記載の方法であって、前記アクチュエータを作動させる工程が、引張りケーブルの引張りと前記アクチュエータと旋回アーム間に接続されるバネとからの該旋回アームの旋回により、係合した前記複数の穴の１つから前記少なくとも１つのロックピンを解放させ、前記旋回アームは少なくとも１つの該ロックピンに作動可能に接続される、請求項１６に記載の方法。
【請求項１９】
前記上部フレームが上昇されていないときは、前記ラッチトロリーの上部ローラが前記少なくとも１つの溝形支持部材の上部軌道部に係合するように構成された、請求項１６に記載の方法。
【請求項２０】
高さ調節可能な急患用簡易ベッドであって、
複数の穴を有する少なくとも１つの溝形支持部材を備えた上部フレームと、
キャスター車輪を備えた下部フレームと、
前記上部と下部フレーム間を接続すると共に前記下部フレームに対して前記上部フレームを高さ調節するように構成された支持機構と、
前記支持機構に旋回可能に接続される横フレーム部材と、
前記少なくとも１つの溝形支持部材の周りを移動するように配置されると共に前記横フレーム部材に接続される少なくとも１つのラッチトロリーと、
確動ロックと、
選択的に前記少なくとも１つのロックピンが前記複数の穴から外れるとき点灯するように構成された光表示器と、を含み、
前記確動ロックは、締まり嵌めにより前記複数の穴に解放可能に保持されるように構成された少なくとも１つのロックピン、及び前記横フレーム部材に枢支されバネを介してアクチュエータに接続される旋回アームを有し、
前記バネは、前記締まり嵌めに打ち勝つには不十分なバネ定数を有し、前記旋回アームは、前記締まり嵌めを解除するとき前記アクチュエータの作動により前記少なくとも１つのロックピンを前記複数の穴の係合した１つから移動させるように構成され、前記締まり嵌めは、前記上部フレームの上昇により解除される、高さ調節可能な急患用簡易ベッド。
【発明の詳細な説明】
【技術分野】
【０００１】
本発明は、急患用簡易ベッド（ambulance cots）に関し、より詳細には急患用簡易ベッドの高さを調節可能にするため急患用簡易ベッドの上部フレームを上昇させる必要のある、高さ調節可能な急患用簡易ベッドの確動ロック（positive lock）に関する。
【背景技術】
【０００２】
患者の潜在的な取り扱い事故の主要な原因の１つは、患者を乗せた状態で、急患用簡易ベッドを上昇位置から下降位置に不意に降下させることである。このような場合、患者だけでなく救急医療（ＥＭＳ）隊員にも傷害が発生し得る。
【発明の概要】
【発明が解決しようとする課題】
【０００３】
このような降下の典型的な理由は、作業員の思い違いであり、例えば、簡易ベッドが元の位置に完全にロックされているどうかの確認を怠るか、あるいは、解放取手（release handle）の一方の不注意による操作である。かかる作業員の思い違いは、容認できるものではないが、ＥＭＳ隊員が忙しく潜在的に危険な環境で活動していることを考慮すると、無理からぬところがある。従って、かかる張り詰めた環境で効率的に任務を遂行するためにこのような切迫した状況下で、例えば患者を乗せて急患用簡易ベッドを操作するなどの日常的な業務には、上述のミスを犯す可能性が存在する。
【課題を解決するための手段】
【０００４】
バネ式アクチュエータが確動ロックの締まり嵌め（interference fit）を解除可能にするために、急患用簡易ベッドの上部フレームを上昇させる必要がある、高さ調節可能な急患用簡易ベッドの確動ロック及びその方法を提供するのは、上述の背景技術においてである。上部フレームが上昇されないと、その時は、確動ロックの引張りに利用されるバネ力が、締まり嵌めに打ち勝つには不十分である。締まり嵌めを解除すると、簡易ベッドが高さ調節可能になる。場合によっては、高さ調節可能な位置に、例えば完全に元の位置に簡易ベッドが確実にロックされていないと、光表示器を設けて点灯させてもよい。
【０００５】
一実施の形態において、次の高さ調節可能な急患用簡易ベッドが提供される。即ち、高さ調節可能な急患用簡易ベッドは、複数の穴を有する少なくとも１つの溝形支持部材を備えた上部フレームと、上部フレームを高さ調節するように構成された支持機構と、支持機構に旋回可能に接続される横フレーム部材と、少なくとも１つの溝形支持部材の周りを移動するように配置されると共に、横フレーム部材に接続される少なくとも１つのラッチトロリー（latching trolley;外れ止め触輪）と、締まり嵌めにより複数の穴に解放可能に保持されるように配置された少なくとも１つのロックピンを有する確動ロックとを含み、上部フレームの上昇により締まり嵌めが解除され、その結果、係合した複数の穴の１つから少なくとも１つのロックピンが解放可能になる。
【０００６】
別の実施の形態において、本発明の緊急用簡易ベッドの高さを調節する方法が提供される。この方法は、簡易ベッドの上部フレームを上昇させて、締まり嵌めの少なくとも１つのロックピンを解除し、簡易ベッドに設けられたアクチュエータを作動させて、係合した複数の穴の１つから少なくとも１つのロックピンを解放させ、少なくとも１つの溝形支持部材の周りに簡易ベッドの横フレーム部材の位置を移動させて、簡易ベッドを高さ調節する、ことを含む。
【０００７】
更に別の実施の形態において、次の高さ調節可能な急患用簡易ベッドが提供される。即ち、高さ調節可能な急患用簡易ベッドは、複数の穴を有する少なくとも１つの溝形支持部材を備えた上部フレームと、キャスター車輪を備えた下部フレームと、上部と下部フレーム間を接続されると共に、下部フレームに対して上部フレームを高さ調節するように構成された支持機構と、支持機構に旋回可能に接続される横フレーム部材と、少なくとも１つの溝形支持部材の周りを移動するように配置されると共に、横フレーム部材に接続される少なくとも１つのラッチトロリーと、締まり嵌めにより複数の穴に解放可能に保持されるように配置された少なくとも１つのロックピンを有する確動ロックとを含み、旋回アームが、横フレーム部材に枢支されると共に、締まり嵌めに打ち勝つには不十分なバネ定数を有するバネを介してアクチュエータに接続し、旋回アームは、締まり嵌めを解除すると、アクチュエータの作動により少なくとも１つのロックピンを複数の穴の係合した１つから移動させるように構成されており、締まり嵌めは上部フレームの上昇により解除される。場合によっては、少なくとも１つのロックピンが複数の穴から外れると、点灯するように構成された光表示器を設けてもよい。
【０００８】
本発明の以上の及びその他の特徴は、以下の詳細な説明、添付の図面、及び添付の特許請求の範囲から明確になるであろう。本発明を一例として説明するが、同様の構成要素には同じ参照番号を付している添付の図面に、本発明は限定されるものではない。
【図面の簡単な説明】
【０００９】
【図１】本発明の実施例の簡易ベッド構造体の斜視図である。
【図２】一部が切り欠かれた図１の実施例の平面図であって、本発明の確動ロックを含む基本的部分を示す。
【図３】一部を取り除いた図２の実施例の部分拡大斜視図であって、本発明の確動ロックを含む基本的部分を示す。
【図４】切断線４のみを取り込んだ図２の実施例の側断面図であって、本発明の確動ロックの一部を含む基本的部分を示す。
【発明を実施するための形態】
【００１０】
当業者ならば、図面中の構成要素は、簡潔及び明確性を目的として図示され、必ずしも縮尺通り描かれていないことが分かるであろう。例えば、図面中のある構成要素の寸法は、本発明の実施例の理解を深めるのに役立つよう、他の構成要素に対して誇張されているかも知れない。
【００１１】
図１は、全般的に符号１２で示される本発明の一実施例の高さ調節可能な簡易ベッドを示す。患者は、全般的に符号１４で示される支持面上に支持され、例えば救急車椅子の搬送仕切部（transport bay）等の上昇面に、乗り入れ車輪（loading wheel）１６を用いて簡便に乗せられることができる。簡易ベッド１２は、旋回車輪１８を用いて図示のように表面に沿う完全に上昇した位置に、又は車輪１６，１８上の完全に降下した位置に移動される。
【００１２】
簡易ベッド１２は、通常、上部フレーム２２と、下部フレーム２４と、両フレーム間に配置され、下部フレーム２４に対して上部フレーム２２を支持・移動させる支持機構２６とを含む。上部フレーム２２は、概ね矩形状をなし、乗り入れ端部（loading end）２８において、長手方向に延びる一対の対向する側部フレーム部材３２，３２′に回転可能に連結する、先端フレーム部材３０を含む。後端部３４において、側部フレーム部材３２，３２′は、Ｕ字形に湾曲した取手棒フレーム部材３８を有する後端フレーム部材３６に連結している。フレーム部材３０，３２，３２′，３６，３８は、金属、積層材、ブラスチック、又はこれらの組合せ等の管状材料からなる。
【００１３】
図示の実施例において、先端フレーム部材３０は、対向する側部フレーム部材３２，３２′に回転可能に連結し、例えば、米国特許第６,７０１,５４５号明細書に開示されたタイプの接地フレーム（drop frame）からなる。なお、この特許明細書は、共同出願人によりファーノ・ワシントン社（Ferno Washington, Inc.）に譲渡された特許であって、参照によりその開示が本明細書に完全に援用される。乗り入れ車輪１６は先端フレーム部材３０に設けられている。
【００１４】
上部フレーム２２は患者支持部１４を含む。患者支持部１４は、それぞれ、多くの上昇位置に位置付けることができる背もたれ４０及び足掛け４２を含む。上部フレーム２２は、各々がそれぞれの側部フレーム部材３２，３２′に回転可能に取り付けられた、一対の枝付き支持部４４，４４′を更に含む。
【００１５】
別の実施の形態において、上部フレーム２２は、多目的の車椅子乗り入れ簡易ベッド（図示せず）を解放可能に受け入れる支持台からなる。かかる実施の形態において、患者支持部１４に代えて、例えば、米国特許第４,０３７,８７１号明細書及びＰＣＴ出願第ＵＳ０１／４５１４４号（ＷＯ0239944）に開示されたタイプの、多目的の車椅子乗り入れ簡易ベッドを支持する架台係合部（mounting engagement）が設けられるであろう。なお、前記特許文献は、共同出願人によりファーノ・ワシントン社に譲渡された参考文献であって、参照によりその開示が本明細書に完全に援用される。
【００１６】
下部フレーム２４は、概ね矩形状をなし、各角部に１つの旋回車輪１８を備えている。車輪１８は、足で操作できるロック機構付きの慣用のキャスター車輪であってもよい。下部フレーム２４は長手方向に延びる一対の側部フレーム部材４６，４６′を含み、側部フレーム部材は、それぞれ乗り入れ端部２８と後端部３４側で形成された下部横フレーム部材４８，４８′により隔てられている。
【００１７】
図示の実施例において、支持機構２６は、Ｘ−フレームからなるが、他の実施の形態においては、その他のあらゆるタイプの高さ調節可能な急患簡易ベッド用支持機構であってもよい。図示のように、Ｘ−フレームは、第一の一対の平行な脚部５０，５０′と一対の第二の平行な脚部５２，５２′を含む。対をなす平行な脚部５０，５２と５０′，５２′のそれぞれの一方は、それぞれのピボット接続５４（図示していない側については同一である）により、中間位置で旋回可能に繋がっている。第一の一対の脚部５０，５０′の下端部は、先端側下部横フレーム部材４８に旋回可能に接続されている。第二の一対の脚部５２，５２′の下端部は、下部フレーム２４の後端側下部横フレーム部材４８′に旋回可能に接続されている。第二の一対の脚部５２，５２′の上端部は、上部横フレーム部材５６を介して上部フレーム２２に旋回可能に接続されている。第一の一対の脚部５０，５０′の上端部は、図２に最も良く図示されている解放可能な横フレーム部材５８を介して上部フレーム２２に旋回可能に接続されている。なお、横フレーム部材５８を解放する手段については、後により詳細に説明する。
【００１８】
図２を参照すると、取手棒のロック装置６０が後端側横材６２に設けられている。取手棒のロック装置６０は一対のアクチュエータ６４，６４′を含み、その各々が一対のピン止めロッド６６，６６′のそれぞれの一端に機能的に結合している。ピン止めロッド６６，６６′はバネで付勢され、各ピン止めロッドは、通常、各々が側部フレーム部材３２，３２′に設けられたそれぞれの穴を通って、フレーム部材３８に設けられたそれぞれの窪み又は穴内に収容されている。例えばアクチュエータ６４，６４′を一緒に強く押すなどして、アクチュエータ６４，６４′を一斉に作動させると、一対のピン止めロッド６６，６６′はフレーム部材３８との係合を解除する。ピン止めロッド６６，６６′の係合を解除することにより、作動する者は、側部フレーム部材３２，３２′に対して、フレーム部材３８を所望の水平位置に摺動（伸縮）可能に調節することができる。
【００１９】
また、手動のアクチュエータ６８が、フレーム部材３８に設けられており、本発明の確動ロック７０に作動可能に接続される。特に、手動のアクチュエータ６８の引張りケーブル７２が、確動ロック７０のバネ７４に接続していて、梁又は支柱７５により位置付けられる。場合によっては、簡易ベッドが、高さ調節された位置に、例えば図２に図示する完全に元の位置に確実にロックされていないときは、全般的に符号７７で示され点灯する光表示器を簡易ベッド１２に設けることができる。一実施例における光表示器７７は、接点スイッチ７９、ＬＥＤ等の警告灯８１、及び電池８３を含む。本発明では、簡易ベッド１２が高さ調節された位置に適切にロックされていないことを表示する、その他の点灯方法及び回路装置を利用することもできる。
【００２０】
図３に最も良く示されているように、バネ７４は旋回アーム７６に接続されている。用いられるバネのバネ定数と、例えば穴７８による旋回アーム７６の長さに沿ったバネ７４の位置付けとによって、バネ７４により与えられる機械工率（モーメント）が調節可能になる。図示のように、旋回アーム７６は解放可能な横フレーム部材５８に枢支されている。一対の引張り部材８０，８０′も、また、旋回アーム７６に旋回可能に接続し、各々が一対のロックピン８２，８２′のそれぞれの一端に接続されている。ロックピン８２，８２′は、解放可能な横フレーム部材５８内に摺動可能に収容され、各々が図３に示すそれぞれの矢線方向にバネ付勢されている。
【００２１】
当然のことながら、旋回アーム７６が例えば図３に図示する非操作位置に復帰していないならば、接点スイッチ７９と旋回アームとの接触は保たれたままであり、警告灯８１を通電・点灯させて、簡易ベッド１２が高さ調節された位置に確実にロックされていないことを表示する。高さ調節された位置に、例えば図２に図示する完全に元の位置に簡易ベッドをロックして、一対のロックピン８２，８２′を適切に係合させると、接点スイッチ７９と旋回アーム７６との接触が絶たれ、警告灯８１が消灯して、簡易ベッドが高さ調節された位置に適切にロックされていることを表示する。当然のことながら、簡易ベッドに関する位置や、簡易ベッド１２が高さ調節された位置に適切にロックされているか否かを表示するために用いられるスイッチ又は警告灯の数、及びタイプは、他の実施の形態では変更してもよく、このような光表示方法及び回路は当業者の範囲において十分であると考えられるので、これ以上の説明は不要であろう。
【００２２】
他方の側面も同じであるが簡易ベッドの一側面のみを示す図４と共に、図２も参照すると、当然のことながら、図示された図３のバネ付勢方向に、ロックピン８２，８２′が、それぞれの溝形支持部材８６，８６′に沿って設けられた複数の穴８４の１つに着座する。一実施の形態において、溝形支持部材８６，８６′は断面がＣ字形である。溝形支持部材８６，８６′は、図２に最も良く示されているように、それぞれの側部フレーム部材３２，３２′に沿って隣接して延びており、一対のラッチトロリー（latch trolleys;外れ止め触輪）８８，８８′の各々に転動軌道を提供するようにＣ字形をなす。ラッチトロリー８８，８８′は、解放可能な横フレーム部材５８のそれぞれの端部に設けられていて、フレーム部材５８が溝形支持部材８６，８６′に沿って摺動可能に受け入れられる。従って、ラッチトロリー８８，８８′は、フレーム部材５８と一緒に、それぞれの溝形支持部材８６，８６′に沿って設けられた、複数の穴８４内の１つに係合するロックピン８２，８２′により解放可能に固定される。
【００２３】
図４に最も良く示されているが、各ラッチトロリー８８，８８′には、上部及び下部ローラ９０，９２が設けられている。荷重をかけた位置（weighted position）には、上部ローラ９０が各溝形支持部材８６，８６′の上部軌道部９４に係合し、荷重をかけていない位置には、下部ローラ９２が前記支持部材の下部軌道部９６に係合する。当然のことながら、荷重をかけた位置では、バネ７４を引っ張るアクチュエータ６８（図２）の作動によりもたらされる機械工率は、それぞれの穴８４に応じた締まり嵌め９８からロックピン８２，８２′を外すには不十分である。換言すれば、バネ定数が次のようなものである。即ち、旋回アーム７６は締まり嵌め９８に起因して動かないので、アクチュエータ６８の作動により引っ張られると、引張りケーブル７２の引張りによりバネ７４を伸長させるようなものである。それ故に、荷重をかけた位置では、たとえアクチュエータを作動しても、確動ロック７０により簡易ベッド１２は高さ調節可能にならない。
【００２４】
簡易ベッド１２を高さ調節するには、乗り入れ端部２８及び後端部３４にいるＥＭＳ隊員は、アクチュエータ６８をも作動させると同時に、簡易ベッド１２の上部フレーム２２をやや上昇させる必要がある。このようにして簡易ベッド１２を上昇させると、ＥＭＳ隊員は、簡易ベッドの高さ調節を指向しながら、簡易ベッドを確実に調節することがより一層できるようになる。上部フレーム２２が荷重をかけていない位置にやや上昇されると、当然のことながら、下部ローラ９２は下部軌道部９６に係合し、締まり嵌め９８のロックピン８２，８２′を解除する。従って、荷重をかけていない位置では、引張りケーブル７２及びバネ７４の引張りによる旋回アーム７６の旋回により、ロックピン８２，８２′はそれぞれの穴８４から外れる。
【００２５】
当然のことながら、アクチュエータ６８の作動は、引張りケーブル７２及びバネ７４を引っ張ることであり、締まり嵌め９８の解除に伴って、直ちに機械工率が、図３に示す矢線とは反対方向のロックピン８２，８２′のバネ付勢に打ち勝つに十分となり、その結果、溝形支持部材８６，８６′の周りを摺動運動する、ラッチトロリー８８，８８′及びフレーム部材５８を解放する。解放可能な横フレーム部材５８の解放により、アクチュエータ６８の作動で確動ロック７０を荷重をかけていない位置に解放させると、第一の一対の脚部５０，５０′の上端部を旋回可能及び長手方向に通過可能にさせて、溝形支持部材８６，８６′に沿った複数の穴８４によってもたらされるが、完全に降下した位置、完全に伸長した位置、又はこれらの間の複数の位置で、上部フレーム２２を下部フレーム２４に対して垂直に位置させることができる。
【００２６】
本発明を説明するために若干の代表的な実施例及び細部を示してきたけれど、当業者であれば、添付の特許請求の範囲に定義された本発明の範囲から逸脱することなく、本明細書に記載された方法及び装置を様々変更できることは明白であろう。
【図１】
2009545400.tif 000003
【図２】
2009545400.tif 000004
【図３】
2009545400.tif 000005
【図４】
2009545400.tif 000006
【国際調査報告】
2009545400.tif 000007
2009545400.tif 000008